(57)【特許請求の範囲】
【請求項１】
ボイラを含む燃焼装置から排出される排ガス中の硫黄酸化物を石灰石スラリからなる吸収液と吸収塔（１）内で接触させた後、酸化して得られる石膏を含む石膏スラリを吸収塔（１）から抜き出し、ポンプ（５）を用いて脱水設備に供給するための石膏スラリ貯槽（６，２３）に供給するか、または、前記吸収塔（１）に循環させる排煙脱硫装置の運転方法において、
前記石膏スラリを前記石膏スラリ貯槽（６，２３）のみに供給する運転と、前記石膏スラリを前記吸収塔（１）のみに循環させる運転を切り替えて行うと共に、
石膏スラリを石膏スラリ貯槽（６，２３）のみに供給する運転への切り替え時に、石膏スラリを吸収塔（１）に循環させる循環配管（７）を洗浄することを特徴とする排煙脱硫装置の運転方法。
【請求項２】
石膏スラリを石膏スラリ貯槽（６，２３）のみに供給する運転と石膏スラリを吸収塔（１）のみに循環させる運転との切り替えを、石膏スラリ固形分濃度によって制御することを特徴とする請求項１に記載の排煙脱硫装置の運転方法。
【請求項３】
前記循環配管（７）の洗浄時及び前記循環運転への運転切替時の、循環配管（７）から吸収塔（１）へ流入する石膏スラリ中の水量の制御を、吸収塔（１）への補給水流入量制御と共に行うことを特徴とする請求項１または２に記載の排煙脱硫装置の運転方法。
【請求項４】
吸収塔（１）と、
該吸収塔（１）内で排ガス中の硫黄酸化物と石灰石スラリからなる吸収液との接触により生成された石膏スラリを抜き出して貯める石膏スラリ貯槽（６、２３）と、
吸収塔（１）から抜き出した石膏スラリを搬送する石膏スラリ共通配管（３）と、
石膏スラリ共通配管（３）に接続して石膏スラリを石膏スラリ貯槽（６、２３）に供給する石膏スラリ供給配管（４）と、
石膏スラリ共通配管（３）と石膏スラリ供給配管（４）の接続部に設けた石膏スラリを吸収塔（１）に循環供給する石膏スラリ循環配管（７）と、
石膏スラリ循環配管（７）に接続して該石膏スラリ循環配管（７）に洗浄水を供給する洗浄水配管（９）と、
石膏スラリ供給配管（４）の流路開閉弁（１０）と石膏スラリ循環配管（７）の流路開閉弁（１１）と、
洗浄水配管の流路開閉弁（１２）と、
吸収塔（１）に補給水を供給する補給水配管（１８）と該配管（１８）の流路開閉弁（１９）と、
吸収塔（１）内の石膏スラリの液面レベルを計測する液面計（２０）
をそれぞれ設け、
さらに、石膏スラリ共通配管（３）に石膏スラリを石膏スラリ供給配管（４）側に送り出す石膏スラリポンプ（５）と石膏スラリ濃度計（１７）を設け、
石膏スラリ濃度計（１７）と液面計（２０）の測定値に基づき前記流路開閉弁（１０、１１、１２、１９）を開閉制御する制御装置（２１）を設けたことを特徴とする排煙脱硫装置。
【請求項５】
前記流路開閉弁（１０、１１、１２、１９）をすべて流量調整弁とすることを特徴とする請求項４に記載の排煙脱硫装置。
【請求項６】
吸収塔（１）と、
該吸収塔（１）内で排ガス中の硫黄酸化物と石灰スラリからなる吸収液との接触により生成された石膏スラリを抜き出して貯める石膏スラリ貯槽（６、２３）と、
吸収塔（１）から抜き出した石膏スラリを搬送する石膏スラリ共通配管（３）と、
石膏スラリ共通配管（３）に接続して石膏スラリを石膏スラリ貯槽（６、２３）に供給する石膏スラリ供給配管（４）と、
石膏スラリ供給配管（４）との接続部の前流側の石膏スラリ共通配管（３）に洗浄水を供給する洗浄水配管（９）と該配管（９）の流路開閉弁（１２）と、
石膏スラリ共通配管（３）の流路開閉弁（２５）と石膏スラリ供給配管（４）の流路開閉弁（１０）と、
石膏スラリ共通配管（３）に石膏スラリを石膏スラリ供給配管（４）側に送り出す石膏スラリポンプ（５）と石膏スラリ濃度計（１７）
をそれぞれ設け、
さらに、石膏スラリ共通配管（３）の石膏スラリ供給配管（４）の接続部の前流側にドレン配管（２６）を接続し、該ドレン配管（２６）に配管流路開閉弁（２７）を設け、
該ドレン配管（２６）からの石膏スラリを含むドレンが流入するドレンピット（２９）を設け、
該ドレンピット（２９）から吸収塔（１）へドレンを供給するドレン供給配管（３１）と該ドレン供給配管（３１）にドレン水ポンプ（３２）を設け、
吸収塔（１）に補給水を供給する補給水配管（１８）と該配管（１８）に流路開閉弁（１９）を設け、
吸収塔（１）内の石膏スラリの液面レベルを計測する液面計（２０）を設け、
石膏スラリ濃度計（１７）と液面計（２０）の測定値に基づき配管流路開閉弁（１０、１２、１９、２５、２７）を開閉制御する制御装置（２１）を設けたことを特徴とする排煙脱硫装置。
【発明の詳細な説明】
【技術分野】
【０００１】
本発明は、火力発電所や工場等に設置されるボイラ等の燃焼設備から排出される排ガスを浄化するための排ガス脱硫システムに係り、特に脱硫装置の運転に必要なポンプ消費動力を低減できる排煙脱硫装置と、その運転方法に関する。
【背景技術】
【０００２】
火力発電所におけるボイラ等から排出される排ガス中の硫黄酸化物を除去する手段として、湿式石灰石石膏法が広く用いられている。ボイラ排ガスを湿式石灰石石膏法からなる排煙脱硫処理するシステムとして、例えば特開２０１１−１７７６１５号公報（特許文献１）に開示された脱硫システムが知られている。
【０００３】
前記脱硫システムは、脱硫設備で生成された石膏スラリを脱水装置にポンプを利用して運搬し、脱水装置にて気液分離し、石膏固形分の回収を行っている。  
排ガス中の硫黄酸化物は石灰石を含む吸収液と接触することで石膏となり、ポンプによって吸収液を貯留したタンクを経由もしくは直接脱水設備に運搬され、石膏スラリとして回収される。
【０００４】
一方、上記石膏スラリは固形分濃度が一般的には１５〜３０％と高く、石膏自体沈降性が高いため、堆積・沈殿し易い性質を持っている。そのため、石膏スラリを運搬する際には、該スラリ配管内の石膏スラリ流速を維持する必要があるが、共存する不純物などによる配管などの摩耗の問題を考慮して１〜３ｍ／秒として運用することが一般的である。
【０００５】
従来から知られている一般的な脱硫システムを図７に示す。  
この脱硫システムでは、ボイラ低負荷時に石膏生成量が低下した際にも、配管内流速を保つため、吸収塔１から石膏スラリタンク６または脱水設備に石膏スラリ２を供給する石膏スラリ配管３から分岐させて吸収塔１に戻す循環配管７を設置している。該循環配管７には常に石膏スラリ２が流れるように設計されており、例えば石膏スラリタンク６への石膏スラリ供給配管調整バルブ石膏スラリ供給量に応じて、循環配管７内を流れる石膏スラリ量は変動する。一方で、石膏スラリ搬送用ポンプ５の容量は一定であるため、循環配管７への分岐前の石膏スラリ配管部分（共通配管）３を流れる石膏スラリ流量は一定となる。表１にスラリ流量の例を示す。なお、分岐後の石膏スラリ配管のうち、循環配管７への分岐前の石膏スラリ配管部分（共通配管）３に接続して石膏スラリを石膏スラリタンク６に連絡する部分を供給配管４と呼ぶことにする。
【０００６】
【表１】
0006349179.tif 000002
ボイラの低負荷時に石膏スラリタンク６に供給する石膏スラリ２を低減する必要がある場合、供給配管４に設けた流量調節用のバルブ１０の開度を調整して石膏スラリ２の流量を減らし、循環配管７に流れる石膏スラリ２を増やす。
【０００７】
一方で、ボイラの通常負荷時においても、循環配管７に常に石膏スラリ２を流し続ける必要があることから、石膏スラリ搬送用ポンプの容量は石膏スラリタンク６への必要供給量に加え、循環配管７へ流す石膏スラリ量を加味する必要がある。  
【０００８】
このように、ボイラの負荷が変化しても石膏スラリ搬送用ポンプ５の容量を一定のままにして余裕がある運転にすると、消費電力に無駄が生じることになる。
また、特開平１１−１９７４５０号公報（特許文献２）に開示された発明には、吸収液タンク内の吸収液（石膏スラリ）濃度を一定に保つように、吸収液中への補給水の供給量を制御することが開示されている。
【先行技術文献】
【特許文献】
【０００９】
【特許文献１】特開２０１１−１７７６１５号公報
【特許文献２】特開平１１−１９７４５０号公報
【発明の開示】
【発明が解決しようとする課題】
【００１０】
上記特許文献１記載の発明では、石膏スラリ２を運搬するためには、石膏スラリ搬送用石膏スラリ搬送用石膏スラリ搬送用石膏スラリ搬送用ポンプ５の容量を増加させて運転する必要があった。このポンプ容量の増加を図るために消費動力を増加させなければならないという問題がある。また、上記特許文献２記載の発明では、ボイラ低負荷時のポンプ容量についての課題は触れられていない。
【００１１】
本発明の課題は、排ガス脱硫用の吸収塔で吸収液と排ガスを接触させて生成する石灰石スラリを酸化させて得られる石膏スラリを石膏スラリタンクに供給するポンプの容量を出来るだけ低減させて消費動力を小さくした排煙脱硫装置とその運用方法を提供することである。
【課題を解決するための手段】
【００１２】
上記本発明の課題は、下記の構成を採用することにより達成できる。
請求項１記載の発明は、ボイラを含む燃焼装置から排出される排ガス中の硫黄酸化物を石灰石スラリからなる吸収液と吸収塔（１）内で接触させた後、酸化して得られる石膏を含む石膏スラリを吸収塔（１）から抜き出し、ポンプ（５）を用いて脱水設備に供給するための石膏スラリ貯槽（６、２３）に供給するか、または、前記吸収塔（１）に循環させる排煙脱硫装置の運転方法において、前記石膏スラリを前記石膏スラリ貯槽（６、２３）のみに供給する運転と、前記石膏スラリを前記吸収塔（１）のみに循環させる運転を切り替えて行うと共に、石膏スラリを石膏スラリ貯槽（６，２３）のみに供給する運転への切り替え時に、石膏スラリを吸収塔（１）に循環させる循環配管（７）を洗浄することを特徴とする排煙脱硫装置の運転方法である。
【００１３】
請求項２記載の発明は、石膏スラリを石膏スラリ貯槽（６、２３）のみに供給する運転と石膏スラリを吸収塔（１）のみに循環させる運転との切り替えを、石膏スラリ固形分濃度によって制御することを特徴とする請求項１に記載の排煙脱硫装置の運転方法である。
【００１５】
請求項３記載の発明は、前記循環配管（７）の洗浄時及び前記循環運転への運転切替時の、循環配管（７）から吸収塔（１）へ流入する石膏スラリ中の水量の制御を、吸収塔（１）への補給水流入量制御と共に行うことを特徴とする請求項１または２に記載の排煙脱硫装置の運転方法である。 
【００１６】
請求項４記載の発明は、吸収塔（１）と、該吸収塔（１）内で排ガス中の硫黄酸化物と石灰石スラリからなる吸収液との接触により生成された石膏スラリを抜き出して貯める石膏スラリ貯槽（６、２３）と、吸収塔（１）から抜き出した石膏スラリを搬送する石膏スラリ共通配管（３）と、石膏スラリ共通配管（３）に接続して石膏スラリを石膏スラリ貯槽（６、２３）に供給する石膏スラリ供給配管（４）と、石膏スラリ共通配管（３）と石膏スラリ供給配管（４）の接続部に設けた石膏スラリを吸収塔（１）に循環供給する石膏スラリ循環配管（７）と、石膏スラリ循環配管（７）に接続して該石膏スラリ循環配管（７）に洗浄水を供給する洗浄水配管（９）と、石膏スラリ供給配管（４）の流路開閉弁（１０）と石膏スラリ循環配管（７）の流路開閉弁（１１）と、洗浄水配管（９）の流路開閉弁（１２）と、吸収塔（１）に補給水を供給する補給水配管（１８）と該配管（１８）の流路開閉弁（１９）と、吸収塔（１）内の石膏スラリの液面レベルを計測する液面計（２０）をそれぞれ設け、さらに、石膏スラリ共通配管（３）に石膏スラリを石膏スラリ供給配管（４）側に送り出す石膏スラリポンプ（５）と石膏スラリ濃度計（１７）を設け、石膏スラリ濃度計（１７）と液面計（２０）の測定値に基づき前記流路開閉弁（１０、１１、１２、１９）を開閉制御する制御装置（２１）を設けたことを特徴とする排煙脱硫装置である。 
【００１７】
請求項５記載の発明は、前記流路開閉弁（１０、１１、１２、１９）をすべて流量調整弁とすることを特徴とする請求項４に記載の排煙脱硫装置である。
請求項６記載の発明は、吸収塔（１）と、該吸収塔（１）内で排ガス中の硫黄酸化物と石灰スラリからなる吸収液との接触により生成された石膏スラリを抜き出して貯める石膏スラリ貯槽（６、２３）と、吸収塔（１）から抜き出した石膏スラリを搬送する石膏スラリ共通配管（３）と、石膏スラリ共通配管（３）に接続して石膏スラリを石膏スラリ貯槽（６、２３）に供給する石膏スラリ供給配管（４）と、石膏スラリ供給配管（４）との接続部の前流側の石膏スラリ共通配管（３）に洗浄水を供給する洗浄水配管（９）と該配管（９）の流路開閉弁（１２）と、石膏スラリ共通配管（３）の流路開閉弁（２５）と石膏スラリ供給配管（４）の流路開閉弁（１０）と、石膏スラリ共通配管（３）に石膏スラリを石膏スラリ供給配管（４）側に送り出す石膏スラリポンプ（５）と石膏スラリ濃度計（１７）をそれぞれ設け、さらに、石膏スラリ共通配管（３）の石膏スラリ供給配管（４）の接続部の前流側にドレン配管（２６）を接続し、該ドレン配管（２６）に配管流路開閉弁（２７）を設け、該ドレン配管（２６）からの石膏スラリを含むドレンが流入するドレンピット（２９）を設け、該ドレンピット（２９）から吸収塔（１）へドレンを供給するドレン供給配管（３１）と該ドレン供給配管（３１）にドレン水ポンプ（３２）を設け、吸収塔（１）に補給水を供給する補給水配管（１８）と該配管（１８）に流路開閉弁（１９）を設け、吸収塔（１）内の石膏スラリの液面レベルを計測する液面計（２０）を設け、石膏スラリ濃度計（１７）と液面計（２０）の測定値に基づき配管流路開閉弁（１０、１２、１９、２５、２７）を開閉制御する制御装置（２１）を設けたことを特徴とする排煙脱硫装置である。 
【発明の効果】
【００１８】
請求項１、４、６記載の発明によれば、前記石膏スラリを前記石膏スラリ貯槽（６）のみに供給する運転と、前記石膏スラリを前記吸収塔（１）のみに循環させる運転を切り替えて行うことにより石膏スラリを搬送するポンプ容量及びその消費動力が低減可能となる。
また、請求項１記載の発明によれば、石膏スラリを石膏スラリ貯槽（６）のみに供給する運転への切り替え時に、石膏スラリを吸収塔（１）に循環させる石膏スラリ循環配管（７）を洗浄することにより、スラリの堆積を防止できる。
【００１９】
請求項２記載の発明によれば、請求項１記載の発明の効果に加えて、石膏スラリを石膏スラリタンク（６）のみに供給する運転と石膏スラリを吸収塔（１）のみに循環させる運転との切り替えを、石膏スラリ固形分濃度によって制御することで、ボイラ排ガスの硫黄酸化物の量に依らず、常に一定の配管内流速を確保できる。
【００２１】
請求項３記載の発明によれば、請求項１または２記載の発明の効果に加えて、洗浄水を循環配管に流入させることで過渡的に脱硫装置の水バランスが不安定となる他、吸収塔内スラリの固形分濃度が低下することで脱硫性能が低下する可能性があるが、洗浄水量を補給水制御系に組み込むことにより、円滑な排煙脱硫装置の運用が可能となる。
【図面の簡単な説明】
【００２２】
【図１】本発明の一実施例である排煙脱硫装置の系統を示す図である。
【図２】図１の排煙脱硫装置の吸収塔からの石膏スラリを外部に供給する運転と吸収塔へ戻す循環運転を切り替える運転状態と固形分濃度の関係を示す図である。
【図３】図１の排煙脱硫装置吸収塔の補給水量調整例を示す図である。
【図４】本発明の別実施例である排煙脱硫装置の系統を示す図である。
【図５】本発明の別実施例である排煙脱硫装置の系統を示す図である。
【図６】本発明の別実施例である排煙脱硫装置の系統を示す図である。
【図７】従来技術の排煙脱硫装置の系統を示す図である。
【図８】従来技術の排煙脱硫装置吸収塔の補給水量調整例を示す図である。
【発明を実施するための形態】
【００２３】
以下、本発明に係る実施の形態を図面とともに説明する。  
図１に本実施例の排煙脱硫装置の系統を示す。該排煙脱硫装置は、ボイラを含む燃焼装置から排出される排ガス中の硫黄酸化物を吸収塔１内で石灰石スラリからなる吸収液と接触させ、該吸収液中の石灰石スラリを酸化させることにより生成する石膏を石膏スラリとして除去する湿式石灰石石膏法による装置である。
【００２４】
図１に示す構成は、吸収塔１内で生成した石膏スラリ２を吸収塔１から共通配管３に石膏スラリ抜き出しポンプ５を用いて共通配管３と該共通配管３に接続する供給配管４を経由して脱水設備（図示せず）に供給するための石膏スラリタンク６に供給する石膏スラリ搬送系統と前記共通配管３に接続して吸収塔１に石膏スラリを循環させる循環配管７と、該循環配管７に洗浄水を供給する洗浄水配管９を設けた石膏スラリ循環系統を備えている。
【００２５】
供給配管４と循環配管７と洗浄水配管９にはそれぞれ流路遮断用バルブ１０、１１、１２が配置され，共通配管３には石膏スラリ濃度計１７が配置され、この濃度計１７の石膏スラリ濃度の測定値により流路遮断用バルブ１０、１１の開放度が決められる。さらに循環配管７の出口側、即ち吸収塔１入口側には流路遮断用バルブ１５が配置されている。
【００２６】
また、吸収塔１には補給水を供給する補給水配管１８が接続され、該補給水配管１８には流路遮断用バルブ１９が配置されている。また吸収塔１内の石膏スラリの液面レベルを計測する液面レベル計２０が設けられている。
【００２７】
そして共通配管３の石膏スラリ濃度計１７と吸収塔１内の石膏スラリ液面レベル計２０の測定値に基づき制御装置２１は流路遮断用バルブ１０、１１、１２、１９の開閉度をそれぞれ制御する構成である。
【００２８】
吸収塔１内の石膏スラリ２中の固形分が増加すると、石膏スラリ供給配管４に石膏スラリ２を送る運転を行うが、その際には、吸収塔１から抜き出される石膏スラリ２は、共通配管３、抜出しポンプ５、石膏スラリ供給配管４を順次経由して、石膏スラリタンク６に導入される。その際、循環配管７の石膏スラリ循環配管バルブ１１は閉められており、石膏スラリ循環配管７には石膏スラリ２が流れない。また、石膏スラリ供給配管４内の石膏スラリ２は、供給配管４の勾配によって石膏スラリタンク６に自然落下により流入する。
【００２９】
吸収塔１内の固形分が低下し、循環配管７を利用する石膏スラリ２の循環運転を行う際には、石膏スラリ供給配管バルブ１０を閉め、石膏スラリ循環配管バルブ１１を開けて、石膏スラリ循環配管７に石膏スラリ２を循環供給する運転を行う。
【００３０】
表２及び図２には、供給配管４から石膏スラリタンク６に石膏スラリ２を送る運転（供給運転）と循環配管７を利用して吸収塔１に石膏スラリ２を戻す運転（循環運転）を切り替える石膏スラリ固形分濃度の設定値の例を示す。
【００３１】
【表２】
0006349179.tif 000003
循環運転から供給運転に切り替わった際には、石膏スラリ循環配管７内に残った石膏スラリ２を洗浄するため、まず洗浄水配管９のバルブ１２を開き、洗浄水で循環配管７内の洗浄を行う。その際、石膏スラリ２及び洗浄水が多量に吸収塔１内に入り、吸収塔１内の石膏スラリ２の水バランスや固形分濃度が不安定とならないよう、洗浄水配管９内の流量に応じて補給水配管１８のバルブ１９の開度の調整が行えるように、制御装置２１により吸収塔１に流入する補給水量をあらかじめ調整出来るようしている。
【００３２】
また、石膏スラリ循環配管７内に一定量の洗浄水を流した後は、石膏スラリ循環配管バルブ１１、洗浄水配管バルブ１２、循環配管出口バルブ１５を閉じ、石膏スラリ循環配管７内に洗浄水を保持させる。
【００３３】
一方で、供給運転から循環運転に切り替わった際には、石膏スラリ循環配管７内に保持させた洗浄水が急激に吸収塔１に流入する。その際も上記した運転と同様に、補給水配管１８の流量コントロールバルブ１９の調整を制御装置２１により行い、吸収塔１に流入する補給水量を制御する。
【００３４】
従来の補給水量の制御例を図８に、本実施例の洗浄水量を補給水量の調整に組み込んだ制御例を図３に示す。  
従来の補給水量調整の場合、洗浄水量が吸収塔１に流入した時には、補給水量による調整が追い付かず、過渡的に補給水量と洗浄水量の合計水量が増減することで、吸収塔１の運転状態が不安定となる。
【００３５】
一方、図３に示す本実施例では、補給水量を調整する場合には洗浄水量をあらかじめ補給水量から差し引いておくことで、合計水量（補給水量と洗浄水量の合計水量）を一定とすることができ、安定した運転状態を維持できる。
【００３６】
図４、図５、図６に本発明の別の実施例を示す。  
図４に示す実施例では、図１に示す排煙脱硫装置の系統のうち、石膏スラリ２の供給先を石膏スラリタンク６からハイドロサイクロン２３に代えている。従来の脱硫システムでは、ハイドロサイクロンのエレメント入口のバルブは手動であり、通常運転中には常にエレメントには石膏スラリ２が流入し、バルブ切り替えは行われない。
【００３７】
本実施例の場合、エレメント入口の石膏スラリ供給配管バルブ１０を自動バルブとし、循環運転時には石膏スラリ供給配管バルブ１０を閉じることで、抜出しポンプ５の動力を低減しつつ安定した運転が可能となる。
【００３８】
図５に示す実施例では、図１に示す石膏スラリ循環配管７を無くし、吸収塔１内で生成した石膏スラリ２を共通配管３から取り出して吸収塔１内へ循環供給する循環運転時にはポンプ５を停止させ、共通配管３を洗浄する構成である。
【００３９】
即ち、図５に示す実施例では、吸収塔１内の固形分が増加し、石膏スラリ供給配管４に石膏スラリを送る運転を行う際には、吸収塔１から運搬される石膏スラリは、共通配管３、石膏スラリ抜出しポンプ５、石膏スラリ供給配管４を順次経由して、石膏スラリタンク６に導入される。
【００４０】
吸収塔１の出口にある共通配管３には石膏スラリ抜出しポンプ５が設けられ、該ポンプ５の入口側の共通配管３には石膏スラリ吸収塔抜出しバルブ２５を設け、ポンプ５の出口側の共通配管３には石膏スラリ濃度計１７を配置している。また共通配管３は、石膏スラリ供給配管バルブ１０を備えた供給配管４に接続し、供給配管４から石膏スラリタンク６に石膏スラリ２を供給する構成になっている。
【００４１】
また、石膏スラリ供給配管バルブ１０の設置部より前流側の供給配管４には洗浄水配管バルブ１２を備えた洗浄水配管９が接続しており、バルブ１２が開くと、洗浄水が共通配管３内に導入される構成である。また、ポンプ５の出口側の共通配管３にはドレン配管２６が接続し、該ドレン配管２６に石膏スラリ抜き出し用のドレンバルブ２７が設けられ、該ドレン配管２６からドレンがドレンピット２９に流入する構成である。
【００４２】
さらにドレンピット２９から吸収塔１へ石膏スラリ２を含むドレンを供給するドレン供給配管３１が配置され、該ドレン供給配管３１にはドレン水ポンプ３２が配置されている。
【００４３】
上記構成において、石膏スラリ抜出しポンプ５の停止時には供給配管４に設けられる石膏スラリ供給配管バルブ１０及び共通配管３に設置される吸収塔抜出しバルブ２５を閉じ、ポンプ５の出口側の共通配管３に設けられるドレン配管２６のバルブ２７を開け、さらに洗浄水配管９の洗浄水配管バルブ１２を開けることで洗浄水配管９から洗浄水は共通配管３内の石膏スラリ２と共にドレン配管２６を通ってドレンピット２９に一時的に貯められる。こうして共通配管３内の石膏スラリ２が外部に取り除かれる。
【００４４】
また、ドレンピット２９内の石膏スラリはドレンポンプ３２を用いてドレン供給配管３１から吸収塔１へ戻す。頻繁なポンプの起動停止は難しいが、循環運転時にポンプ５を停止することで、さらにポンプ動力を低減することができる。
【００４５】
図６は、前述の図１の石膏スラリ供給配管バルブ１０、石膏スラリ循環配管バルブ１１及び洗浄水配管バルブ１２をそれぞれ調整バルブ３４、３５、３６に代え、循環配管７に設けた石膏スラリ流量計３９で循環配管７内を流れる石膏スラリ流量を計測する。
【００４６】
このように、石膏スラリ供給配管４に調整バルブ３４を設け、石膏スラリ循環配管７に調整バルブ３５を設け、さらに洗浄水配管９に調整バルブ３６を設け、さらに補給水配管１８の流量調整バルブ１９があるので循環配管７に設けた石膏スラリ流量計３９の測定値に基づき、正確に各配管４、７、９、１８内の流量制御を行うことが出来る。
【００４７】
こうして、目標供給量の石膏スラリのみを石膏スラリタンク６に供給し、同時に余分なスラリは石膏スラリ循環配管７で吸収塔１に戻す構成である。余分なスラリ量が少なく、石膏スラリ循環配管７内のスラリ流速が設定値より低くなる場合には、同時に洗浄水配管調整バルブ３６により洗浄水量を調節しながら循環配管７に流入させ、石膏スラリ循環配管７内の流速を保つ。このような構成とすることで、連続的に石膏スラリを石膏スラリ循環配管７に供給しながら、ポンプ５の容量を低減できる。但し、石膏スラリ循環配管７内に洗浄水を流し続けるため、吸収塔１内の水バランスが保てなくなったり、図１の石膏スラリ供給配管バルブ１０、石膏スラリ循環配管バルブ１１及び洗浄水配管バルブ１２に代えてそれぞれ調整バルブ３４、３５、３６や流量計３９を設置することでコストが高くなったりするデメリットが残る。
【符号の説明】
【００４８】
１  吸収塔
２  石膏スラリ
３  共通配管
４  供給配管
５  石膏スラリ抜き出しポンプ
６  石膏スラリタンク
７  循環配管
９  洗浄水配管
１０，１１，１２  流路遮断用バルブ
１５  流路遮断用バルブ
１７  石膏スラリ濃度計
１８  補給水配管
１９  流量調整バルブ
２０  液面レベル計
２１  制御装置
２３  ハイドロサイクロン
２５  石膏スラリ吸収塔抜出しバルブ
２６  ドレン配管
２７  ドレンバルブ
２９  ドレンピット
３１  ドレン供給配管
３２  ドレン水ポンプ
３４，３５，３６  調整バルブ
３９  石膏スラリ流量計
【図１】
0006349179.tif 000004
【図２】
0006349179.tif 000005
【図３】
0006349179.tif 000006
【図４】
0006349179.tif 000007
【図５】
0006349179.tif 000008
【図６】
0006349179.tif 000009
【図７】
0006349179.tif 000010
【図８】
0006349179.tif 000011